(57)【特許請求の範囲】
【請求項１】
無線周波数回路であって、
第１の信号パスおよび第２の信号パスを含み、前記第１の信号パスは第１の周波数帯域に関連付けられており、前記第２の信号パスは第２の周波数帯域に関連付けられており、前記第１の信号パスは、前記第２の周波数帯域における信号に約０のインピーダンスを提供するように構成されており、前記第２の信号パスは、前記第１の周波数帯域における信号に約０のインピーダンスを提供するように構成されており、前記第２の周波数帯域における前記信号は前記第１の周波数帯域における前記信号とは異なっており、前記無線周波数回路はさらに、
前記第１および第２の信号パスを結合するカップリング回路を含み、前記カップリング回路は、前記第１の信号パスによって前記第２の周波数帯域における前記信号に提供される約０のインピーダンスによって、前記第２の周波数帯域における前記信号が前記第１の信号パスから実質的に除外されるように、かつ、前記第２の信号パスによって前記第１の周波数帯域における前記信号に提供される約０のインピーダンスによって、前記第１の周波数帯域における前記信号が前記第２の信号パスから実質的に除外されるように、構成され、
前記カップリング回路は、受信信号についての共通入力ノードと、並列の態様で前記共通入力ノードを接地に結合する第１のＬＣ回路および第２のＬＣ回路とを含み、前記第１のＬＣ回路は、直列である第１のインダクタンスおよび第１のキャパシタンスを含み、前記第２のＬＣ回路は、直列である第２のキャパシタンスおよび第２のインダクタンスを含み、
前記第１のインダクタンスおよび前記第１のキャパシタンスの間の第１のノードに接続された前記第１の信号パスの入力と接地との間の第１の接地スイッチと、
前記第２のインダクタンスおよび前記第２のキャパシタンスの間の第２のノードに接続された前記第２の信号パスの入力と接地との間の第２の接地スイッチとをさらに含む、無線周波数回路。
【請求項２】
前記第１および第２の信号パスの各々は、対応する周波数帯域における信号について整合インピーダンスを提供するようにさらに構成される、請求項１に記載の無線周波数回路。
【請求項３】
前記カップリング回路は、各信号パスの前記整合インピーダンスにより、対応する信号が前記信号パスに含まれるようにさらに構成される、請求項２に記載の無線周波数回路。
【請求項４】
前記無線周波数回路は、前記第１および第２の周波数帯域の両方における部分を有する前記受信信号のキャリアアグリゲーションのために構成される、請求項３に記載の無線周波数回路。
【請求項５】
前記第１および第２の信号パスの各々は、フィルタと、前記カップリング回路の対応するノードと前記フィルタとの間の伝送線路とを含む、請求項１に記載の無線周波数回路。
【請求項６】
前記フィルタはバンドパスフィルタを含む、請求項５に記載の無線周波数回路。
【請求項７】
前記バンドパスフィルタは表面弾性波フィルタを含む、請求項６に記載の無線周波数回路。
【請求項８】
前記第１および第２の接地スイッチは、非キャリアアグリゲーションモードのオペレーションを可能にするように構成される、請求項１に記載の無線周波数回路。
【請求項９】
前記第１および第２の接地スイッチの各々は、キャリアアグリゲーションモードのオペレーションの場合には開く、請求項１に記載の無線周波数回路。
【請求項１０】
前記第１の周波数帯域における非キャリアアグリゲーションオペレーションの場合、前記第１の接地スイッチは開き、前記第２の接地スイッチは閉じており、前記第２の周波数帯域における非キャリアアグリゲーションオペレーションの場合、前記第２の接地スイッチは開き、前記第１の接地スイッチは閉じる、請求項９に記載の無線周波数回路。
【請求項１１】
前記整合インピーダンスは、約５０オームの値を有する、請求項１０に記載の無線周波数回路。
【請求項１２】
前記第１の周波数帯域は帯域Ｂ２を含み、前記第２の周波数帯域は帯域Ｂ４を含む、請求項１０に記載の無線周波数回路。
【請求項１３】
無線周波数モジュールであって、
複数のコンポーネントを受け入れるように構成されるパッケージング基板と、
前記パッケージング基板上で実現される無線周波数回路とを含み、前記無線周波数回路は第１の信号パスおよび第２の信号パスを含み、前記第１の信号パスは第１の周波数帯域に関連付けられており、前記第２の信号パスは第２の周波数帯域に関連付けられており、前記第１の信号パスは、前記第２の周波数帯域における信号に約０のインピーダンスを提供するように構成されており、前記第２の信号パスは、前記第１の周波数帯域における信号に約０のインピーダンスを提供するように構成されており、前記第２の周波数帯域における前記信号は前記第１の周波数帯域における前記信号とは異なっており、前記無線周波数回路は前記第１および第２の信号パスを結合するカップリング回路をさらに含み、前記カップリング回路は、前記第１の信号パスによって前記第２の周波数帯域における前記信号に提供される約０のインピーダンスによって、前記第２の周波数帯域における前記信号が前記第１の信号パスから実質的に除外されるように、かつ、前記第２の信号パスによって前記第１の周波数帯域における前記信号に提供される約０のインピーダンスによって、前記第１の周波数帯域における前記信号が前記第２の信号パスから実質的に除外されるように、構成され、前記カップリング回路は、受信信号についての共通入力ノードと、並列の態様で前記共通入力ノードを接地に結合する第１のＬＣ回路および第２のＬＣ回路とを含み、前記第１のＬＣ回路は、直列である第１のインダクタンスおよび第１のキャパシタンスを含み、前記第２のＬＣ回路は、直列である第２のキャパシタンスおよび第２のインダクタンスを含み、
前記無線周波数回路は、
前記第１のインダクタンスおよび前記第１のキャパシタンスの間の第１のノードに接続された前記第１の信号パスの入力と接地との間の第１の接地スイッチと、
前記第２のインダクタンスおよび前記第２のキャパシタンスの間の第２のノードに接続された前記第２の信号パスの入力と接地との間の第２の接地スイッチとをさらに含む、無線周波数モジュール。
【請求項１４】
前記第１および第２の信号パスの各々は、フィルタと、前記カップリング回路の対応するノードと前記フィルタとの間の伝送線路とを含む、請求項１３に記載の無線周波数モジュール。
【請求項１５】
前記第１および第２のフィルタは二重化された出力を与えるように構成される、請求項１４に記載の無線周波数モジュール。
【請求項１６】
前記無線周波数回路は、前記第１および第２の周波数帯域において動作するように構成される低雑音増幅器をさらに含み、前記低雑音増幅器は、前記第１および第２のフィルタの前記二重化された出力を受信するように構成される入力を有する、請求項１５に記載の無線周波数モジュール。
【請求項１７】
ワイヤレスデバイスであって、
アンテナと、
前記アンテナと通信するフロントエンドモジュールとを含み、前記フロントエンドモジュールは、第１の信号パスおよび第２の信号パスを有する無線周波数回路を含み、前記第１の信号パスは第１の周波数帯域に関連付けられており、前記第２の信号パスは第２の周波数帯域に関連付けられており、前記第１の信号パスは、前記第２の周波数帯域における信号に約０のインピーダンスを提供するように構成されており、前記第２の信号パスは、前記第１の周波数帯域における信号に約０のインピーダンスを提供するように構成されており、前記第２の周波数帯域における前記信号は前記第１の周波数帯域における前記信号とは異なっており、前記無線周波数回路は前記第１および第２の信号パスを結合するカップリング回路をさらに含み、前記カップリング回路は、前記第１の信号パスによって前記第２の周波数帯域における前記信号に提供される約０のインピーダンスによって、前記第２の周波数帯域における前記信号が前記第１の信号パスから実質的に除外されるように、かつ、前記第２の信号パスによって前記第１の周波数帯域における前記信号に提供される約０のインピーダンスによって、前記第１の周波数帯域における前記信号が前記第２の信号パスから実質的に除外されるように、構成され、前記カップリング回路は、受信信号についての共通入力ノードと、並列の態様で前記共通入力ノードを接地に結合する第１のＬＣ回路および第２のＬＣ回路とを含み、前記第１のＬＣ回路は、直列である第１のインダクタンスおよび第１のキャパシタンスを含み、前記第２のＬＣ回路は、直列である第２のキャパシタンスおよび第２のインダクタンスを含み、前記無線周波数回路は、前記第１のインダクタンスおよび前記第１のキャパシタンスの間の第１のノードに接続された前記第１の信号パスの入力と接地との間の第１の接地スイッチと、
前記第２のインダクタンスおよび前記第２のキャパシタンスの間の第２のノードに接続された前記第２の信号パスの入力と接地との間の第２の接地スイッチとをさらに含み、前記ワイヤレスデバイスはさらに、
前記フロントエンドモジュールと通信するとともに前記第１および第２の周波数帯域における前記信号を処理するように構成されるレシーバを含む、ワイヤレスデバイス。
【発明の詳細な説明】
【技術分野】
【０００１】
関連出願への相互参照
本出願は、キャリアアグリゲーションに関連する回路および方法（CIRCUITS AND METHODS RELATED TO CARRIER AGGREGATION）という名称を有する、２０１４年８月２９日に出願された米国仮出願番号第６２／０４４，１６９号に対する優先権を主張しており、その開示はここで明らかに本願明細書において全文参照により援用される。
【０００２】
背景
分野
本開示は、無線周波数（ＲＦ： radio-frequency）アプリケーションにおけるキャリアアグリゲーションに関する。
【背景技術】
【０００３】
関連技術の説明
いくつかの無線周波数（ＲＦ）アプリケーションにおいて、セルラーキャリアアグリゲーション（ＣＡ： carrier aggregation）は、２つ以上のＲＦ信号が共通パスを通じて処理されることを伴い得る。たとえば、キャリアアグリゲーションは、十分に分離されている周波数範囲を有する複数の帯域についてのパスの使用を伴い得る。そのような構成において、１つより多い帯域の同時オペレーションが達成され得る。
【発明の概要】
【課題を解決するための手段】
【０００４】
概要
いくつかの実現例において、本開示は、第１の信号パスおよび第２の信号パスを含む無線周波数（ＲＦ）回路に関する。第１の信号パスは第１の周波数帯域に関連付けられており、第２の信号パスは第２の周波数帯域に関連付けられている。第１の信号パスは、第２の周波数帯域における信号に約０のインピーダンスを提供するように構成されており、第２の信号パスは、第１の周波数帯域における信号に約０のインピーダンスを提供するように構成されている。第２の周波数帯域における信号は第１の周波数帯域における信号とは異なっている。ＲＦ回路は第１および第２の信号パスを結合するカップリング回路をさらに含む。カップリング回路は、第１の信号パスによって第２の周波数帯域における信号に提供される約０のインピーダンスによって、第２の周波数帯域における信号が第１の信号パスから実質的に除外されるように、かつ、第２の信号パスによって第１の周波数帯域における信号に提供される約０のインピーダンスによって、第１の周波数帯域における信号が第２の信号パスから実質的に除外されるように、構成される。
【０００５】
いくつかの実施形態において、第１および第２の信号パスの各々は、対応する周波数帯域における信号について整合インピーダンスを提供するようにさらに構成され得る。カップリング回路は、各信号パスの整合インピーダンスにより、対応する信号が信号パスに含まれるようにさらに構成され得る。
【０００６】
いくつかの実施形態において、ＲＦ回路は、第１および第２の周波数帯域の両方における部分を有する受信信号のキャリアアグリゲーション（ＣＡ）のために構成され得る。カップリング回路は、受信信号のための共通入力ノードをさらに含み得る。第１および第２の信号パスの各々は、フィルタと、カップリング回路の対応するノードとフィルタとの間の伝送線路とを含み得る。フィルタは、表面弾性波（ＳＡＷ）フィルタのようなバンドパスフィルタを含み得る。
【０００７】
いくつかの実施形態において、カップリング回路は、並列の態様で共通入力ノードを接地に結合する第１のＬＣ回路および第２のＬＣ回路を含み得る。第１のＬＣ回路は、直列である第１のインダクタンスＬ１および第１のキャパシタンスＣ１を含み得、第２のＬＣ回路は、直列である第２のキャパシタンスＣ２および第２のインダクタンスを含み得る。第１の信号パスの入力はＬ１とＣ１との間のノードにあり得、第２の信号パスの入力はＣ２とＬ２との間のノードにあり得る。
【０００８】
いくつかの実施形態において、ＲＦ回路は、第１の信号パスの入力と接地との間の第１の接地スイッチと、第２の信号パスの入力と接地との間の第２の接地スイッチとをさらに含み得る。第１および第２の接地スイッチは、非ＣＡモードのオペレーションを可能にするように構成され得る。第１および第２の接地スイッチの各々は、ＣＡモードのオペレーションの場合には開き得る。第１の周波数帯域における非ＣＡオペレーションの場合、第１の接地スイッチは開き得、第２の接地スイッチは閉じ得、第２の周波数帯域における非ＣＡオペレーションの場合、第２の接地スイッチは開き得、第１の接地スイッチは閉じ得る。
【０００９】
いくつかの実施形態において、整合インピーダンスは、約５０オームの値を有し得る。第１の周波数帯域はたとえば帯域Ｂ２を含み得、第２の周波数帯域はたとえば帯域Ｂ４を含み得る。第１の周波数帯域はたとえば帯域Ｂ２５をさらに含み得る。
【００１０】
いくつかの実現例に従うと、本開示は、第１の周波数帯域における少なくとも１つの第１の信号と、第２の周波数帯域における少なくとも１つの第２の信号とを含むアグリゲート信号に関連付けられる共通ノードを含む無線周波数（ＲＦ）回路アセンブリに関する。ＲＦ回路アセンブリは第１の信号パスおよび第２の信号パスをさらに含み、第１の信号パスは第１の周波数帯域に関連付けられており、第２の信号パスは第２の周波数帯域に関連付けられている。第１の信号パスは、第２の信号に約０のインピーダンスを提供するように構成されており、第２の信号パスは、第１の信号に約０のインピーダンスを提供するように構成されている。ＲＦ回路アセンブリは、第１および第２の信号パスを共通ノードに結合するカップリング回路をさらに含む。カップリング回路は、第１の信号パスによって第２の信号に提供される約０のインピーダンスによって、第２の信号が第１の信号パスから除外されるように、かつ、第２の信号パスによって第１の信号に提供される約０のインピーダンスによって、第１の信号が第２の信号パスから除外されるように、構成される。
【００１１】
いくつかの実現例に従うと、本開示は、第１の周波数帯域における第１の信号に関連付けられる第１のノードと、第２の周波数帯域における第２の信号に関連付けられる第２のノードとを含む無線周波数（ＲＦ）回路アセンブリに関する。ＲＦ回路アセンブリは、第１のノードに結合されるとともに第１の周波数帯域に関連付けられる第１の信号パス、および、第２のノードに結合されるとともに第２の周波数帯域に関連付けられる第２の信号パスとをさらに含む。第１の信号パスは、第２の信号に約０のインピーダンスを提供するように構成されており、第２の信号パスは、第１の信号に約０のインピーダンスを提供するように構成されている。ＲＦ回路アセンブリは、第１および第２の信号パスを共通ノードに結合するカップリング回路をさらに含む。カップリング回路は、第１の信号パスによって第２の信号に提供される約０のインピーダンスによって、第２の信号が第１の信号パスから除外され、これにより共通ノードに方向付けられるように、かつ、第２の信号パスによって第１の信号に提供される約０のインピーダンスによって、第１の信号が第２の信号パスから除外され、これにより共通ノードに方向付けられるように、構成される。
【００１２】
多くの教示において、本開示は無線周波数（ＲＦ）信号を処理するための方法に関する。上記方法は、第１の信号パスおよび第２の信号パスを提供することを含み、第１の信号パスは第１の周波数帯域に関連付けられており、第２の信号パスは第２の周波数帯域に関連付けられている。上記方法は、第１の信号パスにおいて、第２の周波数帯域における信号に約０のインピーダンスを提供することと、第２の信号パスにおいて、第１の周波数帯域における信号に約０のインピーダンスを提供することとをさらに含む。第２の周波数帯域における信号は第１の周波数帯域における信号とは異なっている。上記方法は、第１の信号パスによって第２の周波数帯域における信号に提供される約０のインピーダンスによって、第２の周波数帯域における信号が第１の信号パスから実質的に除外されるように、かつ、第２の信号パスによって第１の周波数帯域における信号に提供される約０のインピーダンスによって、第１の周波数帯域における信号が第２の信号パスから実質的に除外されるように、第１および第２の信号パスを結合することをさらに含む。
【００１３】
多くの実現例において、本開示は、複数のコンポーネントを受け入れるように構成されるパッケージング基板と、パッケージング基板上で実現されるＲＦ回路とを含む無線周波数（ＲＦ）モジュールに関する。ＲＦ回路は第１の信号パスおよび第２の信号パスを含み、第１の信号パスは第１の周波数帯域に関連付けられており、第２の信号パスは第２の周波数帯域に関連付けられている。第１の信号パスは、第２の周波数帯域における信号に約０のインピーダンスを提供するように構成されており、第２の信号パスは、第１の周波数帯域における信号に約０のインピーダンスを提供するように構成されている。第２の周波数帯域における信号は第１の周波数帯域における信号とは異なっている。ＲＦ回路は、第１および第２の信号パスを結合するカップリング回路をさらに含む。カップリング回路は、第１の信号パスによって第２の周波数帯域における信号に提供される約０のインピーダンスによって、第２の周波数帯域における信号が第１の信号パスから実質的に除外されるように、かつ、第２の信号パスによって第１の周波数帯域における信号に提供される約０のインピーダンスによって、第１の周波数帯域における信号が第２の信号パスから実質的に除外されるように、構成される。
【００１４】
いくつかの実施形態において、第１および第２の信号パスの各々は、フィルタと、カップリング回路の対応するノードとフィルタとの間の伝送線路とを含み得る。第１および第２のフィルタは二重化された出力を与えるように構成され得る。ＲＦ回路は、第１および第２の周波数帯域において動作するように構成される低雑音増幅器（ＬＮＡ）をさらに含み得、ＬＮＡは、第１および第２のフィルタの二重化された出力を受信するように構成される入力を有する。
【００１５】
いくつかの教示に従うと、本開示は、アンテナと、アンテナと通信するフロントエンドモジュール（ＦＥＭ：front-end module）とを含むワイヤレスデバイスに関する。ＦＥＭは、第１の信号パスおよび第２の信号パスを有するＲＦ回路を含み、第１の信号パスは第１の周波数帯域に関連付けられており、第２の信号パスは第２の周波数帯域に関連付けられている。第１の信号パスは、第２の周波数帯域における信号に約０のインピーダンスを提供するように構成されており、第２の信号パスは、第１の周波数帯域における信号に約０のインピーダンスを提供するように構成されている。第２の周波数帯域における信号は第１の周波数帯域における信号とは異なっている。ＲＦ回路は、第１および第２の信号パスを結合するカップリング回路をさらに含む。カップリング回路は、第１の信号パスによって第２の周波数帯域における信号に提供される約０のインピーダンスによって、第２の周波数帯域における信号が第１の信号パスから実質的に除外されるように、かつ、第２の信号パスによって第１の周波数帯域における信号に提供される約０のインピーダンスによって、第１の周波数帯域における信号が第２の信号パスから実質的に除外されるように、構成される。ワイヤレスデバイスは、ＦＥＭと通信するとともに第１および第２の周波数帯域における信号を処理するように構成されるレシーバをさらに含む。
【００１６】
いくつかの実現例において、本開示は、第１の周波数帯域外の信号について入力において約０のインピーダンスを提供するように構成される第１の信号パスと、第２の周波数帯域外の信号について入力において約０のインピーダンスを提供するように構成される第２の信号パスとを含む無線周波数（ＲＦ）回路に関する。ＲＦ回路は、第１および第２の信号パスの入力を結合するカップリング回路とをさらに含む。カップリング回路は、各信号パスの約０のインピーダンスにより、対応する信号が信号パスから実質的に除外されるように構成される。
【００１７】
いくつかの実施形態において、第１および第２の信号パスの各々は、対応する周波数帯域における信号について整合インピーダンスを提供するようにさらに構成され得る。カップリング回路は、各信号パスの整合インピーダンスにより、対応する信号が信号パスに実質的に含まれるようにさらに構成され得る。第１の周波数帯域外の信号は第２の周波数帯域にあり得、第２の周波数帯域外の信号は第１の周波数帯域にあり得る。
【００１８】
いくつかの実施形態において、ＲＦ回路は、第１および第２の周波数帯域の両方における部分を有する受信信号のキャリアアグリゲーション（ＣＡ）のために構成され得る。カップリング回路は、受信信号のための共通入力ノードをさらに含み得る。第１および第２の信号パスの各々は、フィルタと、対応する入力とフィルタとの間の伝送線路とを含み得る。フィルタは、表面弾性波（ＳＡＷ）フィルタのようなバンドパスフィルタを含み得る。
【００１９】
いくつかの実施形態において、対応する信号パスの約０のインピーダンスは、伝送線路の選択された長さに少なくとも部分的により得る。カップリング回路は、並列の態様で共通入力ノードを接地に結合する第１のＬＣ回路および第２のＬＣ回路を含み得る。第１のＬＣ回路は、直列である第１のインダクタンスＬ１および第１のキャパシタンスＣ１を含み得、第２のＬＣ回路は、直列である第２のキャパシタンスＣ２および第２のインダクタンスＬ２を含み得る。第１の信号パスの入力はＬ１とＣ１との間のノードにあり得、第２の信号パスの入力はＣ２とＬ２との間のノードにあり得る。
【００２０】
いくつかの実施形態において、ＲＦ回路は、第１の信号パスの入力と接地との間の第１の接地スイッチと、第２の信号パスの入力と接地との間の第２の接地スイッチとをさらに含み得る。第１および第２の接地スイッチは、非ＣＡモードのオペレーションを可能にするように構成され得る。第１および第２の接地スイッチの各々は、ＣＡモードのオペレーションの場合には開き得る。第１の周波数帯域における非ＣＡオペレーションの場合、第１の接地スイッチは開き得、第２の接地スイッチは閉じ得、第２の周波数帯域における非ＣＡオペレーションの場合、第２の接地スイッチは開き得、第１の接地スイッチは閉じ得る。
【００２１】
いくつかの実施形態において、整合インピーダンスは、約５０オームの値を有し得る。第１の周波数帯域はたとえば帯域Ｂ２を含み得、第２の周波数帯域はたとえば帯域Ｂ４を含み得る。第１の周波数帯域はたとえば帯域Ｂ２５をさらに含み得る。
【００２２】
いくつかの実現例に従うと、本開示は無線周波数（ＲＦ）信号をルーティングするための方法に関する。上記方法は、第１の周波数帯域についての第１の信号パスの入力と、第２の周波数帯域についての第２の信号パスの入力とにおいて、帯域依存インピーダンスを提供することを含む。帯域依存インピーダンスは、第１および第２の周波数帯域の各々についての帯域外信号について約０のインピーダンスを含む。上記方法は、第１および第２の周波数帯域の各々についての帯域外信号を有するＲＦ信号を受信することをさらに含む。上記方法は、対応する信号パスによって提供される約０のインピーダンスに基づいて、第１および第２の信号パスの各々からの帯域外信号を除外することをさらに含む。
【００２３】
いくつかの実施形態において、帯域依存インピーダンスは、第１および第２の周波数帯域の各々についての帯域内信号について整合インピーダンスをさらに含み得る。上記方法は、対応する信号パスによって提供される整合インピーダンスに基づいて、帯域内信号が第１および第２の信号パスの各々へと通過することを可能にすることをさらに含み得る。
【００２４】
いくつかの教示に従って、本開示は、複数の信号パスの各々における帯域外信号を、信号パスによって提供される約０の帯域外インピーダンスによって除外するように構成される、キャリアアグリゲーション（ＣＡ）システムに関する。
【００２５】
いくつかの実施形態において、ＣＡシステムは、信号パスによって提供される整合帯域内インピーダンスによって、複数の信号パスの各々において帯域内信号を含むようにさらに構成され得る。約０の帯域外インピーダンスは、信号パスの伝送特性に関連付けられるインピーダンス変化の傾向に基づいて、正味のインピーダンス調整によって得られ得る。複数の信号パスの各々はバンドパスフィルタを含み得る。インピーダンス変化の傾向は、フィルタによって提供されるインピーダンスから０のインピーダンスへ向かう変更を含み得る。正味のインピーダンス調整は、帯域外信号についての信号パスについて約０のインピーダンスを与え得る。帯域外信号についての信号パスの約０のインピーダンスは、少なくとも部分的に、フィルタに関連した伝送線路の選択された長さによって得られ得る。
【００２６】
多くの実現例において、本開示は、複数のコンポーネントを受け入れるように構成されるパッケージング基板と、パッケージング基板上で実現されるＲＦ回路とを含む無線周波数（ＲＦ）モジュールに関する。ＲＦ回路は、第１の周波数帯域外の信号について入力において約０のインピーダンスを提供するように構成される第１の信号パスと、第２の周波数帯域外の信号について入力において約０のインピーダンスを提供するように構成される第２の信号パスとを含む。ＲＦ回路は、第１および第２の信号パスの入力を結合するカップリング回路をさらに含む。カップリング回路は、各信号パスの約０のインピーダンスにより、対応する信号が信号パスから実質的に除外されるように構成される。
【００２７】
いくつかの実施形態において、第１および第２の信号パスの各々は、フィルタと、対応する入力とフィルタとの間の伝送線路とを含み得る。第１および第２のフィルタは二重化された出力を与えるように構成され得る。ＲＦ回路は、第１および第２の周波数帯域において動作するように構成される低雑音増幅器（ＬＮＡ）をさらに含み得、ＬＮＡは、第１および第２のフィルタの二重化された出力を受信するように構成される入力を有する。
【００２８】
いくつかの実現例において、本開示は無線周波数（ＲＦ）モジュールを作製するための方法に関する。上記方法は、複数のコンポーネントを受け入れるように構成されるパッケージング基板を設けるまたは形成することと、パッケージング基板上にＲＦ回路を実現することとを含む。ＲＦ回路は、第１の周波数帯域外の信号について入力において約０のインピーダンスを提供するように構成される第１の信号パスと、第２の周波数帯域外の信号について入力において約０のインピーダンスを提供するように構成される第２の信号パスとを含む。ＲＦ回路は、第１および第２の信号パスの入力を結合するカップリング回路とをさらに含む。カップリング回路は、各信号パスの約０のインピーダンスにより、対応する信号が信号パスから実質的に除外されるように構成される。
【００２９】
いくつかの実現例において、本開示は、ＲＦ信号を処理するように構成されるレシーバと、レシーバと通信するフロントエンドモジュール（ＦＥＭ： front-end module）とを含むワイヤレスデバイスに関する。ＦＥＭは、第１の周波数帯域外の信号について入力において約０のインピーダンスを提供するように構成される第１の信号パスと、第２の周波数帯域外の信号について入力において約０のインピーダンスを提供するように構成される第２の信号パスとを有するキャリアアグリゲーション（ＣＡ）システムを含む。ＲＦ回路は、第１および第２の信号パスの入力を結合するカップリング回路をさらに含む。カップリング回路は、各信号パスの約０のインピーダンスにより、対応する信号が信号パスから実質的に除外されるように構成される。
【００３０】
開示を要約する目的のために、本発明のある局面、利点および新規な特徴が本願明細書において記載された。必ずしもすべてのそのような利点が、本発明の任意の特定の実施形態に従って達成されなくてもよいということが理解されるべきである。したがって、本発明は、本願明細書において教示されるような１つの利点または利点の群を、必ずしも他の利点を達成することなく、達成または最適化する態様で具現化または実施されてもよい。
【図面の簡単な説明】
【００３１】
【図１】カップリング回路が第１の信号処理コンポーネントおよび第２の信号処理コンポーネントに共通信号ノードを結合し得る信号ルーティング構成を示す図である。
【図２】図１の信号ルーティング構成のより具体的な例を示す図である。
【図３】図２のＣＡ回路のより具体的な例として実現され得るキャリアアグリゲーション（ＣＡ）回路を示す図である。
【図４】２つのバンドパスフィルタの二重化されたオペレーションのために実現され得る入力スイッチの例を示す図である。
【図５】図４の例のバンドパスフィルタの典型的な応答を示す図である。
【図６】反対の帯域において高いインピーダンスを得るためにＣＡ構成が実現され得る例を示す図である。
【図７】インピーダンスを所望の状態に回転するために位相シフトが利用され得る例を示す図である。
【図８】図７の位相シフトを提供するために位相シフタが実現され得る例を示す図である。
【図９】いくつかのＣＡ構成において利用される伝送線路が帯域外インピーダンスを低インピーダンスに回転する傾向を有することを示す図である。
【図１０】平衡フィルタポートを提供するためにバランが利用され得る例を示す図である。
【図１１】どのように平衡伝送線路が、インダクタンスとキャパシタンスとの連続としてモデリングされ得るかについての例を示す図である。
【図１２】図１０の第１および第２のバランの各々がＬＣ回路のアセンブリとして実現され得る例示的なＣＡ構成を示す図である。
【図１３】図１０におけるバランが、たとえば接続部によって除去および置換され得る例を示す図である。
【図１４】図１２におけるＬＣ回路のアセンブリが、たとえば接続部によって除去および置換され得る例を示す図である。
【図１５】非ＣＡオペレーションを促進するために、ＣＡ回路について接地スイッチが実現され得る構成を示す図である。
【図１６】図１５の接地スイッチによって促進される非ＣＡモードの例を示す図である。
【図１７】本願明細書に記載されるような１つ以上の特徴を有するＣＡ回路が低雑音増幅器（ＬＮＡ）とともに利用され得る例示的なアーキテクチャを示す図である。
【図１８】Ｂ２非ＣＡモードについて図１７の例示的なアーキテクチャについてシミュレートされた性能プロットを示す図である。
【図１９】Ｂ４非ＣＡモードの場合の図１７の例示的なアーキテクチャについてシミュレートされた性能プロットを示す図である。
【図２０】Ｂ２およびＢ４帯域の両方が動作しているＣＡモードの場合の図１７の例示的なアーキテクチャについてシミュレートされた性能プロットを示す図である。
【図２１】Ｂ２非ＣＡモードの場合の図１７の例示的なアーキテクチャについて付加的なシミュレートされた性能プロットを示す図である。
【図２２】Ｂ４非ＣＡモードの場合の図１７の例示的なアーキテクチャについて付加的なシミュレートされた性能プロットを示す図である。
【図２３】Ｂ２およびＢ４帯域の両方が動作しているＣＡモードの場合の図１７の例示的なアーキテクチャについて付加的なシミュレートされた性能プロットを示す図である。
【図２４】図１７の例と同様であるが、第１および第２の帯域の点で一般化されたアーキテクチャを示す図である。
【図２５】図２４の例におけるアーキテクチャの部分のうちのいくつかまたはすべてが逆に構成および動作され得ることを示す図である。
【図２６Ａ】本願明細書に記載されるような１つ以上の特徴を有するＣＡ回路を示す図である。
【図２６Ｂ】図２６ＡのＣＡ回路の単純化された図を示す図である。
【図２７】いくつかの実施形態において、ＣＡアーキテクチャが複数のＣＡパスを含み得、各ＣＡパスが本願明細書に記載されるような１つ以上の特徴を有するＣＡ回路を含むことを示す図である。
【図２８】複数の帯域のアグリゲーションをサポートするよう複数のＣＡ回路を含み得る例示的なＣＡアーキテクチャを示す図である。
【図２９】複数の帯域のアグリゲーションをサポートするよう複数のＣＡ回路を含み得る別の例示的なＣＡアーキテクチャを示す図である。
【図３０】図３の例と同様のＣＡアーキテクチャにおいて実現されるＣＡ回路を示す図である。
【図３１Ａ】図３０のＣＡ回路の部分が３極ローパスフィルタ（ＬＰＦ）として記載され得ることを示す図である。
【図３１Ｂ】図３１ＡのＬＰＦについての例示的な応答曲線を示す図である。
【図３１Ｃ】図３１ＡのＬＰＦに関連付けられる例示的な位相シフトを示す図である。
【図３２Ａ】３極ハイパスフィルタ（ＨＰＦ）として図３０のＣＡ回路の部分が記載され得ることを示す図である。
【図３２Ｂ】図３２ＡのＨＰＦについての例示的な応答曲線を示す図である。
【図３２Ｃ】図３２ＡのＨＰＦに関連付けられる例示的な位相シフトを示す図である。
【図３３】ＣＡ回路の共通ノードにおいて図３１および図３２のＬＰＦおよびＨＰＦ機能により所望のＣＡ機能がどのように与えられ得るかについての例を示す図である。
【図３４】本願明細書に記載されるような１つ以上の特徴を有するＲＦモジュールのブロック図を示す図である。
【図３５】本願明細書において記載されるような１つ以上の有利な特徴を有する例示的なワイヤレスデバイスを示す図である。
【発明を実施するための形態】
【００３２】
いくつかの実施形態の詳細な説明
本願明細書において与えられる見出しは、存在する場合、単に簡便性のためのものであり、必ずしも特許請求される発明の範囲または意味に影響を与えるものではない。
【００３３】
図１は、カップリング回路１００が第１の信号処理コンポーネント（帯域Ａコンポーネント）および第２の信号処理コンポーネント（帯域Ｂコンポーネント）に共通の信号ノード１０２を結合し得る信号ルーティング構成を示す。本願明細書に記載されるように、そのようなカップリング回路は、帯域Ａおよび帯域Ｂコンポーネントの各々によって与えられる帯域依存インピーダンスを利用し得る。帯域Ａコンポーネントの場合、帯域依存インピーダンスは、帯域Ａでの整合インピーダンス値Ｚ０（たとえば５０オーム）と、帯域Ｂでの約０オームのインピーダンスとを含み得る。帯域Ｂコンポーネントの場合、帯域依存インピーダンスは、帯域Ｂでの整合インピーダンス値Ｚ０（たとえば５０オーム）と、帯域Ａでの約０オームのインピーダンスとを含み得る。本願明細書に記載されるように、インピーダンス値のそのような組合せによって、帯域Ａおよび帯域Ｂコンポーネントは、単独で個々に動作するかまたは一緒に同時に動作することが可能になり得る。本願明細書においてさまざまな例が、整合インピーダンス値（たとえば５０オーム）および０オームのインピーダンス値の文脈において記載されるが、本開示の１つ以上の特徴は他のインピーダンス値についても実現され得るということが理解されるであろう。さらに、５０オームおよび０オームのようなインピーダンス値は、約５０オームおよび約０オームである値をそれぞれ含み得るということが理解されるであろう。
【００３４】
図２は、図１の信号ルーティング構成のより具体的な例を示す。図２は、いくつかの実施形態において、キャリアアグリゲーション（ＣＡ）アプリケーションにおいて本開示の１つ以上の特徴が実現され得ることを示す。したがって、図１のカップリング回路１００はＣＡ回路１００であり得、帯域Ａおよび帯域Ｂコンポーネントは、帯域ＡおよびＢについてバンドパス機能を提供するように構成されるフィルタであり得る。
【００３５】
図２はさらに、無線周波数（ＲＦ）信号が共通入力ノード１０２（ＲＦ＿ＩＮ）において提供され、共通ノードＲＦ＿ＯＵＴにおいて出力され得るように、ＣＡ回路１００およびフィルタが配され得ることを示す。本願明細書に記載されるように、ＣＡ回路１００は、ＣＡ回路１００とＡおよびＢフィルタの各々との間に帯域依存インピーダンスが提供されることを可能にし得る。Ａフィルタの場合、帯域依存インピーダンスは、たとえば、帯域Ａにおいて５０オームであり得、帯域Ｂにおいて約０オームであり得る。Ｂフィルタの場合、帯域依存インピーダンスは、たとえば、帯域Ｂにおいて５０オームであり得、帯域Ａにおいて約０オームであり得る。インピーダンス値のそのような組合せは、有意な態様で互いに影響することなくＡおよびＢフィルタが単独で個々に動作することまたは一緒に同時に動作することを可能にし得る。
【００３６】
図３は、図２を参照して記載されたＣＡ回路（１００）のより具体的な例として実現され得るＣＡ回路１００を示す。図３の例において、ＣＡ回路１００は、接地に入力ノード１０２を結合する２つのＬＣ回路を含み得る。第１のＬＣ回路は、（接地側の）第１のキャパシタンスＣ１と直列である（入力側の）第１のインダクタンスＬ１を含み得る。第２のＬＣ回路は、（接地側の）第２のインダクタンスＬ２と直列である（入力側の）第２のキャパシタンスＣ２を含み得る。Ｌ１とＣ１との間のノードは、１１０で示される伝送線路を通じて第１のバンドパスフィルタに結合されることが示される。Ｃ２とＬ２との間のノードは、１１２で示される伝送線路を通じて第２のバンドパスフィルタに結合されることが示される。
【００３７】
図３の例において、第１のバンドパスフィルタは、帯域Ｂ２（たとえばＲｘについて１．９３０〜１．９９０ＧＨｚ）におけるオペレーションのために構成されるのが示されており、第２のバンドパスフィルタは帯域Ｂ４（たとえばＲｘについて２．１１０〜２．１５５ＧＨｚ）におけるオペレーションのために構成されるのが示されている。本願明細書において記載されるいくつかの例において、第１のバンドパスフィルタはさらに帯域Ｂ２５（たとえばＲｘについて１．９３０〜１．９９５ＧＨｚ）において動作することができ、したがって、Ｂ２およびＢ２／Ｂ２５が交換可能に使用されてもよい。さまざまな例がそのような例示的な帯域の文脈において記載されているが、本開示の１つ以上の特徴は帯域の他の組合せについて実現され得るということが理解されるであろう。
【００３８】
図３の例において、ＣＡ回路１００は、ＣＡ回路１００とＢ２およびＢ４フィルタの各々の間に帯域依存インピーダンスが提供されることを可能にし得る。Ｂ２フィルタの場合、帯域依存インピーダンスは、たとえば、Ｂ２帯域において約５０オームであり得、Ｂ４帯域において約０オームであり得る。Ｂ４フィルタの場合、帯域依存インピーダンスは、たとえば、Ｂ４帯域において約５０オームであり得、Ｂ２帯域において約０オームであり得る。インピーダンス値のそのような組合せは、有意な態様で互いに影響することなくＢ２およびＢ４フィルタが単独で個々に動作することまたは一緒に同時に動作することを可能にし得る。
【００３９】
図３の例示的なＣＡ回路１００は、並列である２つの回路ブランチが提供され、各ブランチが中間ノードを有しているブリッジ回路またはブリッジのような回路（bridge-like circuit）であると考えられ得る。いくつかの実施形態において、そのような中間ノードは、本願明細書において記載される例では第３のブランチによってブリッジされていない。したがって、ブリッジ回路であるＣＡ回路１００への参照は、そのような構成を含むということが理解され得る。
【００４０】
図４〜図１４は、図３の例示的なＣＡ回路１００に関して述べられ得るさまざまな設計の考慮の例を示す。いくつかのＲＦアプリケーションにおいて、一方または両方のフィルタのオペレーションを可能にするような態様で２つのフィルタを二重化（diplex）することが望ましくあり得る。好ましくは、そのような構成は、加えられる損失がほとんど存在しないまたは存在しない状態で実現され、また、最小のハードウェアで実現される。両方のフィルタが有効な２通過帯域フィルタを作り出すために接続される場合、当該フィルタは、「キャリアアグリゲーション」（「ＣＡ」）信号を受信するために使用され得る。そのような機能は、たとえばＬＴＥにおいて必要とされているかまたは望まれている。ＬＴＥでは、２つの別個の帯域からの信号が同時に受信され、より使用可能な帯域幅が作り出されてより高いデータレートを達成する。
【００４１】
図４を参照して、例示的なＢ２およびＢ４フィルタのための入力スイッチが、オペレーションのためにいずれかまたは両方のフィルタを選択するようセットされ得る。しかしながら、両方のフィルタが二重化された態様で一緒に動作される場合には、対応するべき有意な問題がある。
【００４２】
なお、図５を参照して、ＳＡＷフィルタのような典型的なバンドパスフィルタは、示されるように、（たとえばスミスチャートの中心におけるまたはその中心の近傍における）整合帯域内インピーダンスと、帯域外インピーダンスとを示す。たとえば、左側のプロットに示されるように、Ｂ２フィルタはＢ２帯域信号について整合インピーダンス（たとえば５０オーム）を示し、Ｂ４帯域信号について帯域外インピーダンスを示す。同様に、右側のプロットに示されるように、Ｂ４フィルタはＢ４帯域信号について整合インピーダンス（たとえば５０オーム）を示し、Ｂ２帯域信号について帯域外インピーダンスを示す。
【００４３】
図６を参照して、ＣＡ構成は、反対の帯域において高いインピーダンスを得るように実現され得る。そのような特徴を得るために、反対の帯域インピーダンスが好ましくは、無限大インピーダンスポイント（infinite-impedance point）であるスミスチャート上の最も右側のポイントに移動するまで、各インピーダンスプロットを有効に回転させるように位相シフトが導入され得る。しかしながら各フィルタが伝送線路を通じて接続される場合、反対の帯域インピーダンスは、スミスチャート上のゼロインピーダンスポイントに向かって誤った態様で回転させる傾向を有する。なお、非常に長い伝送線路により回転を継続することにより、無限大インピーダンスポイントに到達することができる。そのような回転はたとえば、示されるような伝送線路回転の約５倍を伴い得、その結果生じる伝送線路は物理的に長くなり過ぎる。そのような伝送線路は、たとえばＬＣ位相シフタの代わりにも利用され得る。しかしながら、そのような伝送線路は長くなり得、モジュールフォーマットの実現例には好適ではない場合がある。
【００４４】
図７および図８を参照して、ＣＡ構成は、たとえば直列キャパシタおよびシャントインダクタを使用する位相シフタを含むように実現され得る。そのような位相シフタは、伝送線路位相シフト（たとえば、図７においてＡからＢまでの回転として示される）を克服し、所望の高インピーダンスまで（たとえばＢからＣまで）インピーダンスを回転するように構成され得る。たとえば、そのようなＣＡ構成に関する付加的な詳細は、「キャリアアグリゲーションを有する無線周波数レシーバに関係する回路および方法（CIRCUITS AND METHODS RELATED TO RADIO-FREQUENCY RECEIVERS HAVING CARRIER AGGREGATION）」という名称を有する、２０１４年４月１１日に出願された米国仮出願番号第６１／９７８，８０８号と、「キャリアアグリゲーションを有する無線周波数レシーバに関係する回路および方法（CIRCUITS AND METHODS RELATED TO RADIO-FREQUENCY RECEIVERS HAVING CARRIER AGGREGATION）」という名称を有する、２０１５年４月１０日に出願されたその対応する米国出願番号第１４／６８３，５１２号とに記載されている。それらの各々は明確に、全文参照により援用されており、本願の明細書の一部と考えられるべきである。
【００４５】
いくつかの実現例において、本開示は、二重化のために、高帯域外インピーダンスの代わりに低帯域外インピーダンスを利用する概念に関する。図６および図７を参照して記載されたように、かつ、図９にさらに示されるように、ＣＡ構成において利用される短い伝送線路は、所与のフィルタの帯域外インピーダンスを低インピーダンスに回転する（矢印１２０）傾向を有する。したがって、高インピーダンス側に回転しようと試みる代わりに、そのような傾向を利用することができる。
【００４６】
いくつかの実施形態において、ＣＡ構成は、他のフィルタの帯域において０または０の近傍であるインピーダンスを示す１つのフィルタを含み得る。そのような構成の場合、一般に、フィルタポートを単純に並列に一緒に配することができない。その代わりに、フィルタポートは効果的に直列構成を与えるように配され得る。そのような態様で配されると、０または０近傍である帯域外インピーダンスにより、有意な態様で他のフィルタの帯域外インピーダンスによって影響されることなく所与のフィルタが動作することが可能になる。
【００４７】
なお、前述の直列構成を与えるためには、平衡フィルタポート（balanced filter port）が必要とされるか、または、望ましくあり得る。また、ＳＡＷフィルタのような多くのフィルタは典型的に、シングルエンドのポートを提供するように構成されており、各ポートは、単一の伝送線路とともに使用されるために構成されている。したがって、いくつかの実施形態において、図１０に示されるように、バラン１３０，１３２が実現され得る。いくつかの実施形態において、バラン１３０，１３２は巻き線型バランとして実現され得る。しかしながら、いくつかの適用例において、そのような巻き線型バランは望ましくない場合がある。
【００４８】
いくつかの実施形態において、伝送線路のＬＣ近似（LC approximation）を使用して集中定数素子バラン（lumped element balun）が実現され得る。そのような伝送線路は、図１１に示されるようにインダクタンスおよびキャパシタンスの連続としてモデリングされ得る平衡伝送線路であり得る。そのようなモデルにおいて、整合インピーダンスは次のように表わされ得る。
【００４９】
【数１】
0006778180.tif 000002
【００５０】
そのような平衡伝送線路は、１つの導体を一端上の接地に接続することにより、バランとして作動され得る。
【００５１】
いくつかの実施形態において、ＬＣ線路モデルの１つのセクションは、図１０の各バラン（１３０または１３２）を置換し得る。図１１の例示的なＬＣ線路モデルにおいて、そのようなセクションは１４０として示される。したがって、図１２は、第１および第２のＬＣ線路セクション１４０ａ，１４０ｂが図１０の第１および第２のバラン１３０，１３２を置換しているＣＡ構成を示す。
【００５２】
図１２の例において、入力ノードは、インダクタンスＬ１およびキャパシタンスＣ１の第１の直列の組合せと、キャパシタンスＣ２およびインダクタンスＬ２の第２の直列の組合せとを通って接地に結合されていることが示される。Ｌ１とＣ１との間のノードは、Ｂ２フィルタの入力に接続されていることが示される。Ｃ２とＬ２との間のノードは、第２のＬＣ線路セクション１４０ｂのＬ３とＣ４との間のノードに接続されていることが示される。Ｌ３とＣ４との間のそのようなノードは、インダクタンスＬ３およびキャパシタンスＣ３の第１の直列の組合せと、キャパシタンスＣ４およびインダクタンスＬ４の第２の直列の組合せとを通って接地に結合されていることが示される。Ｌ３とＣ３との間のノードは、Ｂ４フィルタの入力に接続されていることが示される。Ｃ４とＬ４との間のノードは、接地に接続されていることが示される。
【００５３】
図１３および図１４はそれぞれ図１０および図１２の例と同様である。なお、バラン１３２およびＬＣ線路セクション１４０ｂの各々は、両側上でシングルエンドであり、したがって１：１の変換機能を提供する。したがって、そのようなバラン／ＬＣ線路セクションは、除去され、たとえば図１３のバラン構成のための接続部１３４と、図１４のＬＣ線路セクション構成のための接続部１４４とによって置換され得る。
【００５４】
図１４の例において、ＬＣ線路セクション１４０ｂの上記の除去および接続部１４４の追加によって、第１のＬＣ線路セクション１４０ａのＣ２とＬ２との間のノードがＢ４フィルタの入力に接続される構成が与えられる。そのような構成は、図３を参照して本願明細書において記載されるＣＡ回路１００と本質的に同じであるということが理解され得る。
【００５５】
なお、図３のＣＡ回路１００において、Ｂ２フィルタの入力に接続されたノード（Ｌ１とＣ１との間）は、Ｂ４帯域における信号について、接地への短絡を本質的に提供する。同様に、Ｂ４フィルタの入力に接続されたノード（Ｃ２とＬ２との間）は、Ｂ２帯域における信号について、接地への短絡を本質的に提供する。したがって、入力信号の帯域内部分がそれぞれのフィルタへと通過する一方、入力信号の帯域外部分は接地にルーティングされ、これによりＣＡモードのオペレーションを促進する。
【００５６】
いくつかの実施形態において、ＣＡ回路の前述の特性は、単純な態様で非ＣＡモードのオペレーションを実現するために利用され得る。たとえば、図１５は、接地スイッチ１５０，１５２がＣＡ回路１００のために実現され得る構成を示す。より特定的には、第１の接地スイッチ１５０（Ｓ１）は、Ｌ１とＣ１との間のノードを接地に切り替え可能に結合し得る。Ｓ１が開かれると、入力信号のＢ２帯域内部分はＢ２フィルタへと通過する。また、Ｓ１が閉じられると、Ｂ２帯域内部分を含む入力信号のすべてが接地される。さらに、本願明細書において記載されるように、Ｓ１の状態にかかわらず、入力信号のＢ４帯域外部分が接地される。
【００５７】
同様に、第２の接地スイッチ１５２（Ｓ２）は、Ｃ２とＬ２との間のノードを接地に切り替え可能に結合し得る。Ｓ２が開かれると、入力信号のＢ４帯域内部分はＢ４フィルタへと通過する。また、Ｓ２が閉じられると、Ｂ４帯域内部分を含む入力信号のすべてが接地される。さらに、本願明細書において記載されるように、Ｓ２の状態にかかわらず、入力信号のＢ２帯域外部分が接地される。
【００５８】
上記の例示的な態様で構成されると、スイッチＳ１およびＳ２の両方を開くことによりＣＡモードが有効にされ得る。そのようなモードにおいて、帯域外部分が接地される一方、帯域内部分はそのそれぞれのフィルタにルーティングされる。
【００５９】
図１６は、第１のスイッチＳ１が開状態にあり、第２のスイッチＳ２が閉状態にある非ＣＡモードの例を示す。そのような構成は、Ｂ２非ＣＡモードが実現されることを可能にする。より特定的には、入力信号の所望のＢ２帯域内部分は、示されるように、Ｓ１が開いていることにより、Ｂ２帯域フィルタにルーティングされることが可能になり、入力信号の望まれないＢ４帯域外部分は、Ｓ１が開いていても、Ｂ２フィルタへの当該ルートに沿って接地される。Ｂ４フィルタについて、Ｓ２が閉じられていることにより、入力信号のその帯域内部分は接地され、入力信号のその帯域外部分はＳ２の状態にかかわらず接地される。
【００６０】
同様に、Ｂ４非ＣＡモードは、Ｓ１を閉じＳ２を開くことにより実現され得る。そのようなモードにおいて、入力信号の所望のＢ４帯域内部分は、示されるように、Ｓ２が開いていることにより、Ｂ４帯域フィルタにルーティングされることが可能になり、入力信号の望まれないＢ２帯域外部分は、Ｓ２が開いていても、Ｂ４フィルタへの当該ルートに沿って接地される。Ｂ２フィルタについて、Ｓ１が閉じられていることにより、入力信号のその帯域内部分は接地され、入力信号のその帯域外部分はＳ１の状態にかかわらず接地される。
【００６１】
図１７は、図３および図１５を参照して本願明細書において記載されるようなＣＡ回路１００を有する低雑音増幅器（ＬＮＡ： low-noise amplifier）システムの例を示す。図１７に示される例において、入力スイッチは、Ｌ１とＣ２との間のノードに対する入力パスに沿って提供されることを示される。そのような入力スイッチは、ＬＮＡシステムのＲＦパス全体をアクティベートまたはディアクティベートするために使用され得る。
【００６２】
本願明細書に記載されるように、Ｌ１とＣ１との間のノードはＢ２フィルタに結合され得る。そのような信号パスは、伝送線路１６０と、Ｂ２整合および／またはＢ４位相シフトを提供するように構成される回路と、伝送線路１６２とを含み得る。さらに本願明細書において記載されるように、Ｃ２とＬ２との間のノードはＢ４フィルタに結合され得る。そのような信号パスは、伝送線路１６４と、Ｂ４整合および／またはＢ２位相シフトを提供するように構成される回路と、伝送線路１６６とを含み得る。
【００６３】
さらに本願明細書において記載されるように、接地スイッチは、Ｌ１とＣ１との間のノードの切り替え可能な接地と、Ｃ２とＬ２との間のノードの切り替え可能な接地とを可能にするように設けられ得る。
【００６４】
図１７の例において、Ｂ２およびＢ４フィルタ（たとえばＳＡＷフィルタ）は、二重化された出力を提供するように構成されることが示される。そのような二重化された出力は、伝送線路１７０と、ＬＮＡについて入力整合を提供するように構成される回路と、伝送線路１７２とを通じてＬＮＡ（たとえばＢ２およびＢ４オペレーションを含むように構成されるブロードバンドＬＮＡ）に結合されることが示される。Ｂ２／Ｂ４フィルタアセンブリの二重化された出力も、シャントインダクタンスを通じて接地に結合されることが示される。
【００６５】
なお、いくつかの実施形態において、図３および図１５〜図１７のＣＡ回路１００は、所与の帯域がアクティブでありＣＡモードまたは非ＣＡモードを含むいずれかのモードで構成される場合、当該所与の帯域について、等価なπフィルタトポロジを与え得る。たとえば、図１６に示されるように、帯域Ｂ２はスイッチＳ１が開いていることによりアクティブであり、Ｂ２パスは、スイッチＳ２の状態にかかわらず、Ｌ１、Ｃ１およびＣ２を有するπトポロジを構成する。同様に、帯域Ｂ４は、スイッチＳ２が開いている場合、アクティブであり、Ｂ４パスは、Ｃ２、Ｌ２およびＣ１を有するπフィルタトポロジを構成する。
【００６６】
いくつかの実施形態において、接地スイッチは、たとえば非ＣＡモードにおいて非アクティブパスにおける信号の効率的な接地を促進するために、低い抵抗を提供するように構成され得る。いくつかの実施形態において、接地スイッチを接続するための線路は調整され得る。同様に、ＣＡ回路および／またはフィルタに関連付けられるさまざまな信号線路も調整され得る。
【００６７】
図１８〜図２０は、図１７の例示的なＬＮＡシステムについてのシミュレートされた性能プロットの例を示す。図１８はＢ２非ＣＡモードについてのものであり、図１９はＢ４非ＣＡモードについてのものであり、図２０はＢ２およびＢ４帯域の両方が動作しているＣＡモードについてのものである。図１８〜図２０の各々において、左のパネルは周波数の関数としてＳ１１パラメータ（リターンロス）のプロットであり、中央のパネルは周波数の関数としてＳ２１パラメータ（ゲイン）のプロットであり、右のパネルは、周波数の関数として雑音指数（ＮＦ： noise figure）のプロットである。
【００６８】
表１は、異なるモードのオペレーションについて、中間帯域ゲイン（mid-band gain）パラメータ、中間帯域雑音指数（mid-band noise figure）パラメータ、および、ワーストリターンロス（worst return loss）パラメータを要約している。
【００６９】
【表１】
0006778180.tif 000003
【００７０】
表１における例の結果から、ＣＡモードにおけるＢ２およびＢ４帯域の性能パラメータは、対応する非ＣＡモードの性能パラメータに有利に匹敵するということが理解され得る。たとえば、Ｂ２のＣＡ中間帯域ゲインは、Ｂ２の非ＣＡ中間帯域ゲインより０．２０７ｄＢだけ低く、Ｂ４のＣＡ中間帯域ゲインは、Ｂ４の非ＣＡ中間帯域ゲインより０．４４０ｄＢだけ低い。雑音指数性能については、Ｂ２のＣＡ中間帯域ＮＦは、Ｂ２の非ＣＡ中間帯域ＮＦより０．２０１だけ高く、Ｂ４のＣＡ中間帯域ＮＦは、Ｂ４の非ＣＡ中間帯域ＮＦよりも０．３４７だけ高い。ＣＡモードについてのワーストリターンロスも、非ＣＡモードのワーストリターンロスに良好に匹敵している。
【００７１】
図２１〜図２３は、図１７の例示的なＬＮＡシステムについて、すべてのコンポーネント上で±５％の均一な分布で、２００回の実行（各々が図１８〜図２０のシミュレーションと同様）が行なわれたモンテカルロ結果の例を示す。図２１はＢ２非ＣＡモードについてのものであり、図２２はＢ４非ＣＡモードについてのものであり、図２３はＢ２およびＢ４帯域の両方が動作しているＣＡモードについてのものである。
【００７２】
表２は、異なるモードのオペレーションについて、中間帯域ゲインパラメータ、中間帯域雑音指数パラメータ、および、ピークＳ１１（リターンロス）性能パラメータを要約している。
【００７３】
【表２】
0006778180.tif 000004
【００７４】
また、ＣＡモードにおけるＢ２およびＢ４帯域の性能は、非ＣＡモードにおけるＢ２およびＢ４帯域の性能値に有利に匹敵しているということが理解され得る。
【００７５】
図２４〜図２９は、本願明細書において記載されるような１つ以上の特徴の変形例を含み得るか、および／または、当該特徴に基づき得る例を示す。図２４は、図１７を参照して本願明細書において記載された例と同様であるが、より詳細な例示的な帯域Ｂ２およびＢ４の代わりに第１および第２の帯域の点で一般化されているアーキテクチャ１９０を示す。さらに、図２４および図２５は、いくつかの実施形態において、本願明細書に記載されるようなＣＡ回路１００が順方向および逆方向の構成（forward and reverse configurations）で動作され得るということを示す。
【００７６】
たとえば、図２４の構成が順方向の構成であると考えられるとする。そのような構成において、入力ＲＦ信号は、共通入力ノード１８２にて受信され得、ＣＡ回路１００を通じて処理され得、これにより、第１および第２の帯域信号がそれぞれのフィルタから現れて、共通出力ノード１８４を通じてＬＮＡ（たとえば広帯域ＬＮＡ）に与えられる。説明目的のために、共通入力ノード１８２と共通出力ノード１８４との間の例示的なアーキテクチャ１９０の部分は１８０として示される。
【００７７】
図２５は、図２４の例における部分１８０のうちのいくつかまたはすべてが逆方向に構成および動作され得るということを示す。たとえば、アーキテクチャ１９０は、第１および第２の帯域についてのフィルタの下流にＣＡ回路１００を含み得る。したがって、ＲＦ信号は、共通入力ノード１８４において受信され得、伝送線路１７０を通じて、第１および第２の帯域についての二重化されたフィルタの共通の入力にルーティングされ得る。
【００７８】
図２５の例において、図１７を参照して記載されるように、ＣＡ回路１００のＬ１とＣ１との間のノードは、第１の帯域についてのフィルタに結合され得る。そのような信号パスは、伝送線路１６２と、第１の帯域整合および／または第２の帯域位相シフトを提供するように構成される回路と、伝送線路１６０とを含み得る。同様に、ＣＡ回路１００のＣ２とＬ２との間のノードは、第２の帯域についてのフィルタに結合され得る。そのような信号パスは、伝送線路１６６と、第２の帯域整合および／または第１の帯域位相シフトを提供するように構成される回路と、伝送線路１６４とを含み得る。
【００７９】
さらに、図１７を参照して本願明細書において記載されたように、図２５の例において、Ｌ１とＣ１との間のノードの切り替え可能な接地と、Ｃ２とＬ２との間のノードの切り替え可能な接地とを可能にするために、接地スイッチが設けられ得る。
【００８０】
図２５の例において、ＣＡ回路１００のＣ１とＬ２との間のノードは、接地されることが示され、Ｌ１とＣ２との間のノードは、共通出力ノード１８２として機能し得る。そのような共通出力ノード１８２は、ＬＮＡ入力整合回路および伝送線路１７２を通じてＬＮＡ（たとえばブロードバンドＬＮＡ）の入力に結合され得る。
【００８１】
図２５の例において、図１７の例と同様に、ＣＡ回路１００のＣ１とＬ１との間のノードが、第１の帯域において整合インピーダンス（たとえば５０オーム）を提供し、第２の帯域において約０オームのインピーダンスを提供することが示される。同様に、ＣＡ回路１００のＣ２とＬ２との間のノードが、第２の帯域において整合インピーダンス（たとえば５０オーム）を提供し、第１の帯域において約０オームのインピーダンスを提供することが示される。したがって、アーキテクチャ１９０は、図１７を参照して記載されるように、スイッチＳ１およびＳ２のさまざまな状態によって、有効なＣＡおよび非ＣＡ機能を提供し得る。
【００８２】
図２７〜図２９は、本願明細書に記載されるような１つ以上のＣＡ回路が実現され得る付加的な例を示す。そのような例は、ＣＡ回路１００がダイヤモンド形状の回路として示された状態で示される。説明目的のために、図２６Ｂにおいて示されるようなダイヤモンド形状の回路は、本願明細書における図２６Ａおよび他の図において示されるＣＡ回路１００を表わし得るということが理解されるであろう。より特定的には、ダイヤモンド形状の回路は、対向する角部上に共通ノードおよび接地ノードを含むことが示される。第１のノードはＬ１とＣ１との間にあることが示され、第２のノードはＣ２とＬ２との間にあることが示される。そのような回路は便宜上ダイヤモンド形状の回路として記載されており、同様の機能を有する回路が他の形状で示され得るおよび／または実現され得るということが理解されるであろう。
【００８３】
図２７は、いくつかの実施形態において、ＣＡアーキテクチャが複数のＣＡパスを含み得、各ＣＡパスが本願明細書において記載される１つ以上の特徴を有するＣＡ回路１００を含むことを示す。たとえば、第１のＣＡパスは、第１のＣＡ回路１００ａを利用する第１および第２の帯域のＣＡオペレーションをサポートするよう構成され得る。そのようなＣＡ回路は、第１および第２の帯域についての対応する二重化されたフィルタ１９２ａに結合され得、そのようなＣＡパスから得られるアグリゲート信号（aggregated signal）は、第１のＬＮＡ１９４ａに提供され得る。同様に、第２のＣＡパスは、第２のＣＡ回路１００ｂを利用する第３および第４の帯域のＣＡオペレーションをサポートするよう構成され得る。そのようなＣＡ回路は、第３および第４の帯域についての対応する二重化されたフィルタ１９２ｂに結合され得、そのようなＣＡパスから得られるアグリゲート信号は、第２のＬＮＡ１９４ｂに提供され得る。前述のＣＡアーキテクチャにサポートされ得る周波数帯の例は、本願明細書においてより詳細に記載される。
【００８４】
図２８および図２９は、複数の帯域のアグリゲーションをサポートするために第１および第２のＣＡ回路はどのように互いに結合し得るかについての非限定的な例を示す。図２８は、３つの帯域についてＣＡ機能を提供するために２つのＣＡ回路１００ａ，１００ｂが互いに結合し得る例示的なＣＡアーキテクチャ１９０を示す。図２８の例示的なＣＡアーキテクチャ１９０において、第１のＣＡ回路１００ａは、共通入力パス２００がＲＦ信号を受信するように、（たとえば図２４を参照して記載されたように）順方向に実現されることが示される。第１のＣＡ回路１００ａの第１のノードは、伝送線路２０４を含み得るパス２０２を通じて第１のフィルタ２０６に結合されることが示される。第１のＣＡ回路１００ａの第２のノードは、同様に順方向にて実現される第２のＣＡ回路１００ｂの共通入力ノードに、（パス２１０を通じて）結合されることが示される。
【００８５】
図２８の例において、第２のＣＡ回路１００ｂの第１のノードは、伝送線路２１４を含み得るパス２１２を通じて第２のフィルタ２１６に結合されることが示される。第２のＣＡ回路１００ｂの第２のノードは、伝送線路２２４を含み得るパス２２２を通じて第３のフィルタ２２６に結合されることが示される。第１のフィルタ２０６、第２のフィルタ２１６および第３のフィルタ２２６の出力は、組み合わされて、ＬＮＡ２２８への入力として提供される共通の出力パスになることが示される。そのようなＬＮＡは出力２３０を含むことが示される。
【００８６】
図２８の例において、第１のフィルタ２０６、第２のフィルタ２１６、および第３のフィルタ２２６に関連付けられる帯域はそれぞれ、たとえばＢ７、Ｂ１およびＢ３であり得る。これにより、第１のＣＡ回路１００ａの第２のノード（したがって第２のＣＡ回路１００ｂの共通入力ノード）は、Ｂ１およびＢ３帯域について整合インピーダンスを提供し、Ｂ７帯域について０オームのインピーダンスを提供し得る。次いで、第２のＣＡ回路１００ｂは、本願明細書に記載されるようにＢ１およびＢ３帯域を処理し得る。図２８の例示的な構成によって帯域の他の組合せがさらに処理されるということが理解されるであろう。
【００８７】
図２９は、３つの帯域についてＣＡ機能を提供するよう、２つのＣＡ回路１００ａ，１００ｂが互いに結合され得る別の例示的なＣＡアーキテクチャ１９０を示す。図２９の例示的なＣＡアーキテクチャ１９０において、第１のＣＡ回路１００ａは、その入力パス２４２がＲＦ信号を受信するように、（たとえば図２４を参照して記載されたように）順方向に実現されることが示される。第１のＣＡ回路１００ａの第１のノードは、伝送線路２５４を含み得るパス２５２を通じて第１のフィルタ２５６に結合されることが示される。第１のＣＡ回路１００ａの第２のノードは、伝送線路２６４を含み得るパス２６２を通じて第２のフィルタ２６６に結合されることが示される。
【００８８】
図２９の例において、第２のＣＡ回路１００ｂは、その第１および第２のノードがそれぞれの信号を受信し、かつ、共通出力ノードが（出力２８０を生成する）ＬＮＡ２７８に結合されるように、（たとえば図２５を参照して記載されるように）逆方向に実現されることが示される。より特定的には、第２のＣＡ回路１００ｂの第１のノードは、伝送線路２５８を通じて第１および第２のフィルタ２５６，２６６の共通の出力に結合されることが示される。第２のＣＡ回路１００ｂの第２のノードは、伝送線路２７６を通じて第３のフィルタ２７４に結合されることが示される。第３のフィルタ２７４は、たとえば位相シフタ２７２を通じて入力パス２７０に結合されることが示される。
【００８９】
図２９の例において、第１のＣＡ回路１００ａについての入力パス２４２と、第３のフィルタ２７４についての入力パス２７０とが、それぞれのスイッチＳ１およびＳ２を通じて、共通入力２４０に切り替え可能に結合されることが示される。したがって、フィルタ２５６，２６６，２７４に関連付けられる３つの帯域は、３帯域ＣＡオペレーション、２帯域ＣＡオペレーション、非ＣＡオペレーション、または、その任意の組合せについて、サポートされ得る。
【００９０】
図２９の例において、第１のフィルタ２５６、第２のフィルタ２６６、および第３のフィルタ２７４に関連付けられる帯域はそれぞれ、たとえばＢ１、Ｂ３およびＢ７であり得る。したがって、第２のＣＡ回路１００ｂの第１のノードは、Ｂ１およびＢ３帯域について整合インピーダンスを提供し得、Ｂ７帯域について０オームのインピーダンスを提供する。図２９の例示的な構成によって帯域の他の組合せがさらに処理されるということが理解されるであろう。
【００９１】
任意の特定の理論またはモデルによって拘束されることは望まれないまたは意図されないが、本願明細書に記載されるような１つ以上の特徴を有するＣＡ回路は、３極ローパスフィルタ（ＬＰＦ： low-pass filter）および３極ハイパスフィルタ（ＨＰＦ： high-pass filter）の組合せの点で記載され得る。図３０は、図３の例と同様のＣＡアーキテクチャにおいて実現されるＣＡ回路１００を示す。図３０において、第１および第２の帯域は、説明目的で、帯域Ｂ２およびＢ４であると示される。しかしながら、第１および第２の帯域は他の帯域を含み得ることが理解されるであろう。
【００９２】
図３０の例において、ＣＡ回路１００の示される部分は、Ｂ２帯域についての３極ＬＰＦとして記載され得、ＣＡ回路１００の示された部分は、Ｂ４帯域についての３極ＨＰＦとして記載され得る。図３１Ａは、明瞭さのための３極ＬＰＦ構成自体を示し、図３２Ａは、明瞭さのための３極ＨＰＦ構成自体を示す。
【００９３】
例示的なＢ２帯域の文脈における図３０および図３１Ａの３極ＬＰＦを参照して、図３１Ｂは、Ｂ２パス上の応答曲線を示す。応答曲線は、Ｂ２帯域についてのパス応答を含むことが示される。例示的なＢ４帯域の文脈における図３０および図３２Ａの３極ＨＰＦを参照して、図３２ＢはＢ４パス上の応答曲線を示す。当該応答曲線は、Ｂ４帯域についてパス応答を含むことが示される。したがって、ＬＰＦおよびＨＰＦの各々は、ソースインピーダンス（たとえば５０オーム）と負荷インピーダンス（たとえば５０オーム）との間の整合を提供するということが分かり得る。
【００９４】
なお、上記のＬＰＦおよびＨＰＦのインピーダンス整合特徴に加えて、各フィルタはたとえば９０度だけ位相をシフトし得る。たとえば、例示的なＢ２帯域の文脈における図３０および図３１Ａの３極ＬＰＦを参照して、図３１Ｃは、位相角プロットに重畳されるＢ２パス上の前述の応答曲線を示す。Ｂ２帯域では、位相角が約−９０°の値を有することが理解され得る。
【００９５】
同様に、例示的なＢ４帯域の文脈における図３０および図３２Ａの３極ＨＰＦを参照して、図３２Ｃは、位相角プロットに重畳されるＢ４パス上の前述の応答曲線を示す。Ｂ４帯域では、位相角が約＋９０°の値を有することが理解され得る。
【００９６】
図３３は、前述のＬＰＦおよびＨＰＦ機能がどのようにＣＡ回路１００の共通ノードにおいて所望のＣＡ機能を与え得るかについての例を示す。Ｂ２ノードおよびＢ４ノードの各々では、本願明細書に記載されるように、帯域内インピーダンスが整合され（たとえば５０オーム）、反対の帯域のインピーダンスは約０オームである。なお、ＣＡ回路１００は、共通ノードにおいて、各反対の帯域のインピーダンスを無限または十分に大きな値に変換する。したがって、２つのパス（たとえばＢ２パスおよびＢ４パス）は、本願明細書に記載されるような所望のＣＡ機能を提供するよう、共通ノードにおいて一緒に接続され得る。
【００９７】
図３４は、本願明細書に記載されるように１つ以上の特徴を有するＲＦモジュール３００（たとえばフロントエンドモジュールまたはＬＮＡモジュール）のブロック図を示す。モジュール３００は、積層基板のようなパッケージング基板３０２を含み得る。そのようなモジュールは１つ以上のＬＮＡ３０８を含み得る。そのようなＬＮＡの少なくとも１つは、本願明細書に記載されるように、ＣＡモードで動作するように構成され得る。
【００９８】
モジュール３００は、本願明細書に記載されるような１つ以上の特徴を有するＣＡ回路１００をさらに含み得る。そのようなＣＡ回路は、ダイプレクサ／フィルタアセンブリ３０６を通じて、ＬＮＡ３０８についてＣＡ機能を提供するように構成され得る。たとえば、伝送線路３０４は、ダイプレクサ／フィルタアセンブリ３０６の入力および出力に関連付けられる信号パスを含むさまざまな信号パスにおいて所望の位相シフトを提供するように構成され得る。示されていないが、モジュール３００は、本願明細書に記載されるようにＣＡおよび非ＣＡオペレーションを促進するために、ＣＡ回路１００のための接地スイッチをさらに含み得る。
【００９９】
いくつかの実現例において、本願明細書において記載される１つ以上の特徴を有するアーキテクチャ、デバイスおよび／または回路は、ワイヤレスデバイスのようなＲＦデバイスに含まれ得る。そのようなアーキテクチャ、デバイスおよび／または回路は、ワイヤレスデバイスにおいて直接的に実現され得るか、本願明細書において記載されるような１つ以上のモジュラー形式で実現され得るか、または、その何らかの組合せで実現され得る。いくつかの実施形態において、そのようなワイヤレスデバイスは、たとえば、携帯電話、スマートフォン、電話機能を有するまたは有さないハンドヘルドワイヤレスデバイス、ワイヤレスタブレット、ワイヤレスルータ、ワイヤレスアクセスポイント、ワイヤレスベースステーションなどを含み得る。ワイヤレスデバイスの文脈において記載されているが、本開示の１つ以上の特徴はベースステーションのような他のＲＦシステムにおいても実現され得るということが理解されるであろう。
【０１００】
図３５は、本願明細書において記載された１つ以上の有利な特徴を有する例示的なワイヤレスデバイス５００を示す。いくつかの実施形態において、そのような有利な特徴は、本願明細書に記載されるように、フロントエンド（ＦＥ： front-end）またはＬＮＡモジュール３００において実現され得る。そのようなモジュールは、本願明細書に記載されるような１つ以上の特徴を有するＣＡ回路１００を含み得る。いくつかの実施形態において、そのようなモジュールは、破線のボックスによって示されるよりも多いまたは少ないコンポーネントを含み得る。
【０１０１】
ＰＡモジュール５１２におけるＰＡは、トランシーバ５１０からそれぞれのＲＦ信号を受信し得る。トランシーバ５１０は、増幅および送信されるべきＲＦ信号を生成するとともに、受信した信号を処理するように構成および動作され得る。トランシーバ５１０はベースバンドサブシステム５０８と相互作用することが示される。ベースバンドサブシステム５０８は、ユーザに好適なデータおよび／または音声信号と、トランシーバ５１０に好適なＲＦ信号との間の変換を提供するように構成される。トランシーバ５１０はさらに、電力管理コンポーネント５０６に接続されることが示される。電力管理コンポーネント５０６は、ワイヤレスデバイス５００のオペレーションのための電力を管理するように構成される。そのような電力管理はさらに、ベースバンドサブシステム５０８のオペレーションおよびワイヤレスデバイス５００の他のコンポーネントを制御し得る。
【０１０２】
ベースバンドサブシステム５０８は、ユーザに提供されるとともにユーザから受信される音声および／またはデータのさまざまな入力および出力を促進するために、ユーザインターフェイス５０２に接続されることが示される。ベースバンドサブシステム５０８はさらに、ワイヤレスデバイスのオペレーションを促進し、および／または、ユーザのために情報の格納を提供するために、データおよび／または命令を格納するように構成されるメモリ５０４に接続され得る。
【０１０３】
例示的なワイヤレスデバイス５００において、モジュール３００は、キャリアアグリゲーション可能な１つ以上の信号パスを含み得る。当該信号パスは、本願明細書に記載されるような１つ以上の機能を提供するように構成される。いくつかの実施形態において、ダイバーシティアンテナ５３０を通じて受信される信号のうちの少なくともいくつかは、キャリアアグリゲーション可能な信号パスを通るように１つ以上の低雑音増幅器（ＬＮＡ）３０８にルーティングされ得る。ＬＮＡ３０８からの増幅された信号は、トランシーバ５１０にルーティングされることが示される。
【０１０４】
多くの他のワイヤレスデバイス構成が、本願明細書において記載される１つ以上の特徴を利用することができる。たとえば、ワイヤレスデバイスはマルチバンドデバイスである必要がない。別の例において、ワイヤレスデバイスは、ダイバーシティアンテナのような付加的なアンテナと、Ｗｉ−Ｆｉ（登録商標）、Ｂｌｕｅｔｏｏｔｈ（登録商標）およびＧＰＳのような付加的な接続機能とを含み得る。
【０１０５】
本開示の１つ以上の特徴は、本願明細書に記載されるように、さまざまなセルラー周波数帯域（cellular frequency band）により実現され得る。そのような帯域の例が表３にリストされる。これらの帯域のうちの少なくともいくつかは、副帯（sub-band）に分割され得ることが理解されるであろう。さらに、本開示の１つ以上の特徴は、表３の例のように指定を有さない周波数範囲により実現され得ることも理解されるであろう。
【０１０６】
【表３】
0006778180.tif 000005
【０１０７】
なお、２帯域または３帯域のキャリアアグリゲーションの文脈においてさまざまな例が本願明細書において記載されているが、本開示の１つ以上の特徴はさらに、異なる数の帯域のキャリアアグリゲーションを伴う構成において実現され得る。
【０１０８】
本願明細書に記載されるような１つ以上の特徴を有するＲＦ回路は、ドミノ回路（Domino circuit）、ドミノブリッジ（Domino bridge）などと称され得るということが理解されるであろう。たとえば、カップリング回路（たとえば図１における１００）、キャリアアグリゲーション（ＣＡ）回路（たとえば図２における１００）、または、その任意の組合せは、ＲＦ回路、ブリッジ回路、ドミノ回路、ドミノブリッジ、または、その任意の組合せと称され得る。別の例において、そのようなＲＦ回路、ブリッジ回路、ドミノ回路、ドミノブリッジ、または、その任意の組合せは、本願明細書に記載されるようなインピーダンス特性を提供するようにそれぞれのノードに結合される第１および第２の信号パスいずれかまたは両方を含み得、そのような組合せも、ＲＦ回路、ブリッジ回路、ドミノ回路、ドミノブリッジ、または、その任意の組合せと称され得る。
【０１０９】
前述のＲＦ回路、ブリッジ回路、ドミノ回路、ドミノブリッジ、または、その任意の組合せに関係するさまざまな例は、（たとえば図３、図１５〜図１７、図２４〜図２６、図３０および図３３においてのように）インダクタンスおよびキャパシタンスを有して実現されると本願明細書において記載されている。本願明細書に記載されるように同様のインピーダンス特性を与える他の構成も実現され得るということが理解されるであろう。
【０１１０】
文脈が明確に別の態様を必要としなければ、当該記載および請求の範囲の全体にわたって、「備える（comprise, comprising）」という用語などは、排他的または網羅的な意味ではなく、包含的な意味で解釈されるべきである。すなわち、「含むがそれらに限定されない」という意味で解釈されるべきである。本願明細書において一般的に使用される「結合される」という用語は、直接的に接続され得るか、または、１つ以上の中間要素を介して接続され得るかのいずれかである２つ以上の要素を指す。さらに、「本願明細書において」、「上記」、「下記」といった用語、および、同様の趣旨の用語は、本願において使用される場合、本願を全体として指すものであって、本願の任意の特定の部分を指すものではない。文脈が許す場合、上記の詳細な説明において単数または複数を使用する単語は、それぞれ複数または単数を含んでもよい。２つ以上のアイテムのリストを参照する「または」という用語は、リストにおけるアイテムのいずれか、リストにおけるアイテムのすべて、および、リストにおけるアイテムの任意の組合せといった当該用語の解釈のすべてをカバーする。
【０１１１】
本発明の実施形態の上記の詳細な説明は、網羅的であるように意図されておらず、または、上で開示されたそのものの形態に本発明を限定するように意図されない。上記において本発明の特定の実施形態および本発明についての例が例示目的のために記載されているが、当業者であれば認識するように、さまざまな等価な修正例が本発明の範囲内で可能である。たとえば、プロセスまたはブロックが所与の順番で提示されているが、代替的な実施形態は、異なる順番で、ステップを有するルーチンを実行し得るか、または、ブロックを有するシステムを使用し得、いくつかのプロセスまたはブロックは、削除、移動、追加、細分、組み合わせ、または、修正され得る。これらのプロセスまたはブロックの各々は、さまざまな異なる態様で実現され得る。さらに、プロセスまたはブロックが時に連続して実行されると示されているが、これらのプロセスまたはブロックはその代りに並列に実行されてもよく、または、異なる時間に実行されてもよい。
【０１１２】
本願明細書において提供される本発明の教示は、必ずしも上記のシステムだけでなく、他のシステムに適用することができる。上に記載されたさまざまな実施形態の要素および動作は、さらに別の実施形態を提供するために組み合わせられ得る。
【０１１３】
本発明のいくつかの実施形態が記載されているが、これらの実施形態は例示としてのみ提示されており、本開示の範囲を限定するようには意図されない。実際は、本願明細書において記載された新規な方法およびシステムは、さまざまな他の形態で具現化されてもよい。さらに、本願明細書において記載された方法およびシステムの形態におけるさまざまな省略、置換および変更は、本開示の精神から逸脱することがなければ、なされ得る。添付の請求の範囲およびそれらの等価物は、本開示の範囲および精神に該当するような形態または修正例をカバーするように意図される。
【図１】
0006778180.tif 000006
【図２】
0006778180.tif 000007
【図３】
0006778180.tif 000008
【図４】
0006778180.tif 000009
【図５】
0006778180.tif 000010
【図６】
0006778180.tif 000011
【図７】
0006778180.tif 000012
【図８】
0006778180.tif 000013
【図９】
0006778180.tif 000014
【図１０】
0006778180.tif 000015
【図１１】
0006778180.tif 000016
【図１２】
0006778180.tif 000017
【図１３】
0006778180.tif 000018
【図１４】
0006778180.tif 000019
【図１５】
0006778180.tif 000020
【図１６】
0006778180.tif 000021
【図１７】
0006778180.tif 000022
【図１８】
0006778180.tif 000023
【図１９】
0006778180.tif 000024
【図２０】
0006778180.tif 000025
【図２１】
0006778180.tif 000026
【図２２】
0006778180.tif 000027
【図２３】
0006778180.tif 000028
【図２４】
0006778180.tif 000029
【図２５】
0006778180.tif 000030
【図２６Ａ】
0006778180.tif 000031
【図２６Ｂ】
0006778180.tif 000032
【図２７】
0006778180.tif 000033
【図２８】
0006778180.tif 000034
【図２９】
0006778180.tif 000035
【図３０】
0006778180.tif 000036
【図３１Ａ】
0006778180.tif 000037
【図３１Ｂ】
0006778180.tif 000038
【図３１Ｃ】
0006778180.tif 000039
【図３２Ａ】
0006778180.tif 000040
【図３２Ｂ】
0006778180.tif 000041
【図３２Ｃ】
0006778180.tif 000042
【図３３】
0006778180.tif 000043
【図３４】
0006778180.tif 000044
【図３５】
0006778180.tif 000045